(57)【要約】【課題】冬期においても冷却運転を行なう冷凍装置に係り、外気温度が低いときに凝縮器用ファンの発停により圧縮機の圧縮比を確保して運転を安定的に行うとともに凝縮器用ファンの発停の頻度を低くできるようにした技術である。【解決手段】凝縮圧力が高側第一所定値Ｐ１で凝縮器用ファンが運転開始してから凝縮圧力が低側所定値Ｐ０になり凝縮器用ファンが停止するまでのファン運転時間（ＬＴｂ−ＬＴａ）と、第一設定値とを比較して、ファン運転時間（ＬＴｂ−ＬＴａ）が第一設定値以下であるとき、高側第一所定値Ｐ１を該高側第一所定値Ｐ１よりも高い高側第二所定値Ｐ２に変更する第一所定値変更手段を備えているから、簡単な構成で冷凍装置の運転時の省エネを図りながら、凝縮器用ファンの発停頻度を低くすることができ、機器の耐久性を向上させることができるのである。【選択図】図２
2014234960.tif 000002
【特許請求の範囲】
【請求項１】
圧縮機と、凝縮器と、凝縮器用ファンと、膨張弁と、蒸発器とを備え、凝縮圧力が低側所定値に下降すると前記凝縮器用ファンを停止させるとともに、凝縮圧力が高側第一所定値に上昇すると前記凝縮器用ファンを運転することにより冬期も冷却運転を行なう冷凍装置において、
凝縮圧力が前記高側第一所定値に上昇して前記凝縮器用ファンが運転開始してから前記凝縮圧力が前記低側所定値に下降して前記凝縮器用ファンが停止するまでのファン運転時間を計測するファン運転時間計測手段と、
前記ファン運転時間計測手段により計測した前記ファン運転時間と第一設定値とを比較するファン運転時間と基準値との第一比較手段と、
前記第一比較手段により前記ファン運転時間が前記第一設定値以下であるとき、前記高側第一所定値を該高側第一所定値よりも高い高側第二所定値に変更する第一所定値変更手段とを備えたことを特徴とする冷凍装置。
【請求項２】
凝縮圧力が高側第二所定値に上昇して凝縮器用ファンが運転開始してから前記凝縮圧力が低側所定値に下降して前記凝縮器用ファンが停止するまでのファン運転時間を計測するファン運転時間計測手段と、
前記ファン運転時間計測手段により計測した前記ファン運転時間と第一設定値よりも長い第二設定値とを比較するファン運転時間と基準値との第一比較手段と、
前記第一比較手段により前記ファン運転時間が前記第二設定値以上であるとき、前記高側第二所定値を前記高側第一所定値に変更する第一所定値変更手段とを備えたことを特徴とする請求項１に記載の冷凍装置。
【請求項３】
圧縮機と、凝縮器と、凝縮器用ファンと、膨張弁と、蒸発器とを備え、凝縮圧力が低側所定値に下降すると前記凝縮器用ファンを停止させるとともに、凝縮圧力が高側第一所定値に上昇すると前記凝縮器用ファンを運転することにより冬期も冷却運転を行なう冷凍装置において、
凝縮圧力が前記低側所定値に下降して前記凝縮器用ファンが停止してから前記凝縮圧力が前記高側第一所定値に上昇して前記凝縮器用ファンが運転開始するまでのファン停止時間を計測するファン停止時間計測手段と、
前記ファン停止時間計測手段により計測した前記ファン停止時間と第三設定値とを比較するファン停止時間と基準値との第二比較手段と、
前記第二比較手段により前記ファン停止時間が前記第三設定値以下であるとき、前記高側第一所定値を該高側第一所定値よりも高い高側第二所定値に変更する第二所定値変更手段とを備えたことを特徴とする冷凍装置。
【請求項４】
凝縮圧力が低側所定値に下降して凝縮器用ファンが停止してから前記凝縮圧力が高側第二所定値に上昇して前記凝縮器用ファンが運転開始するまでのファン停止時間を計測するファン停止時間計測手段と、
前記ファン停止時間計測手段により計測した前記ファン停止時間と第三設定値よりも長い第四設定値とを比較するファン停止時間と基準値との第二比較手段と、
前記第二比較手段により前記ファン停止時間が前記第四設定値以上であるとき、前記高側第二所定値を前記高側第一所定値に変更する第二所定値変更手段とを備えたことを特徴とする請求項３に記載の冷凍装置。
【請求項５】
圧縮機と、凝縮器と、凝縮器用ファンと、膨張弁と、蒸発器とを備え、凝縮圧力が低側所定値に下降すると前記凝縮器用ファンを停止させるとともに、凝縮圧力が高側第一所定値に上昇すると前記凝縮器用ファンを運転することにより冬期も冷却運転を行なう冷凍装置において、
凝縮圧力が前記高側第一所定値に上昇して前記凝縮器用ファンが運転開始してから前記凝縮圧力が前記低側所定値に下降して前記凝縮器用ファンが停止し、さらに凝縮圧力が前記高側第一所定値に上昇して前記凝縮器用ファンが運転開始するまでの１サイクルの時間を計測する１サイクル時間計測手段と、
前記１サイクル時間計測手段により計測した前記１サイクルの時間と第五設定値とを比較する１サイクルの時間と基準値との第三比較手段と、
前記第三比較手段により前記１サイクルの時間が前記第五設定値以下であるとき、前記高側第一所定値を該高側第一所定値よりも高い高側第二所定値に変更する第三所定値変更手段とを備えたことを特徴とする冷凍装置。
【請求項６】
凝縮圧力が高側第二所定値に上昇して凝縮器用ファンが運転開始してから前記凝縮圧力が低側所定値に下降して前記凝縮器用ファンが停止し、さらに凝縮圧力が前記高側第二所定値に上昇するまでの１サイクルの時間を計測する１サイクル時間計測手段と、
前記１サイクル時間計測手段により計測した前記１サイクルの時間と第五設定値よりも長い第六設定値とを比較する１サイクルの時間と基準値との第三比較手段と、
前記第三比較手段により前記１サイクルの時間が前記第六設定値以上であるとき、前記高側第二所定値を前記高側第一所定値に変更する第三所定値変更手段とを備えたことを特徴とする請求項５に記載の冷凍装置。
【請求項７】
圧縮機と、凝縮器と、凝縮器用ファンと、膨張弁と、蒸発器とを備え、凝縮圧力が低側所定値に下降すると前記凝縮器用ファンを停止させるとともに、凝縮圧力が高側第一所定値に上昇すると前記凝縮器用ファンを運転することにより冬期も冷却運転を行なう冷凍装置において、
外気温度を検出する外気温度サーミスターと、
前記外気温度サーミスターにより検出した外気温度と設定温度とを比較する温度比較手段と、
前記温度比較手段により外気温度が前記設定温度以下であるとき、前記高側第一所定値を該高側第一所定値よりも高い高側第二所定値に変更するとともに、前記温度比較手段により外気温度が前記設定温度を超えているとき、前記高側第一所定値に維持する温度変更維持手段とを備えたことを特徴とする冷凍装置。
【請求項８】
外気温度サーミスターにより検出した外気温度と設定温度との温度比較手段による比較を設定時間毎に間欠的に行なうことを特徴とする請求項７に記載の冷凍装置。
【発明の詳細な説明】
【技術分野】
【０００１】
本発明は、冬期においても冷却運転を行なう冷凍装置に係り、外気温度が低いときに凝縮器用ファンの発停（ＯＮ・ＯＦＦ）により圧縮機の圧縮比を確保して運転を安定的に行うとともに凝縮器用ファンの発停（ＯＮ・ＯＦＦ）の頻度を低くできるようにした技術である。
【背景技術】
【０００２】
低温倉庫用の冷凍装置、冷蔵・冷凍ショーケース用の冷凍装置などは、冬期においても冷却運転が必要であり、従来のこの種の冷凍装置は、外気温度が低いときに凝縮圧力が所定値以下とならないように凝縮圧力制御装置を備えている。
従来の冷凍装置の凝縮圧力制御装置として、凝縮器は、２基の分割凝縮器と、前記各分割凝縮器にそれぞれ第一の高圧スイッチでＯＦＦする凝縮器用ファンと、一方の分割凝縮器の入口側に介設され第二の高圧スイッチで開閉制御される電磁弁と、前記凝縮器の出口側に接続された凝縮圧力調整弁とを備えたものが知られている（例えば、特許文献１参照）。
【０００３】
また、従来の冷凍装置の凝縮圧力制御装置として、凝縮器は、複数の熱交換器と、前記各熱交換器に対応して配設された凝縮器用ファンと、前記各熱交換器の間に設けられ、前記凝縮器用ファンからの外気と前記熱交換器との熱交換面積を限定する仕切板と、前記凝縮器用ファンの回転数を制御する制御装置とを備えたものが知られている（例えば、特許文献２参照）。
【先行技術文献】
【特許文献】
【０００４】
【特許文献１】実願昭６０−７０３号（実開昭６１−１１６９７５号）のマイクロフィルム
【特許文献２】特開２００４−２４５４８７号公報
【発明の概要】
【発明が解決しようとする課題】
【０００５】
特許文献１に記載の従来の技術は、凝縮器を２基に分割するとともに、２基の凝縮器用ファンを設け、さらに電磁弁、凝縮圧力調整弁などを設けるため、冷凍装置の構成が複雑となるという課題があった。
また、特許文献１に記載された従来の技術は、外気温度の低下の程度に応じて、凝縮能力を調節できるようにしているが、外気温度の低下により凝縮圧力が第一の高圧スイッチの設定値よりも低下すると凝縮器用ファンがＯＦＦし、凝縮能力が低下し凝縮圧力が上昇して設定値になると凝縮器用ファンがＯＮする。
【０００６】
したがって、特許文献１に記載の従来の技術は、外気温度が第一の高圧スイッチが作動する温度に低下した状態では、凝縮器用ファンの発停（ＯＮ・ＯＦＦ）頻度が高く、ファンモータ、リレーなどの機器の耐久性が劣るという課題があった。
また、特許文献２に記載の従来の技術は、凝縮器を複数の熱交換器とし、それぞれに回転数制御可能な凝縮器用ファンを設け、熱交換面積を限定する仕切板を設けているから、外気温度が低下しても凝縮圧力の低下を抑制できるが、冷凍装置の構成が複雑になるという課題があった。
【０００７】
本発明は、特許文献１及び特許文献２に記載の従来の冷凍装置における課題を解決して、冷凍装置の構成が簡単でありながら、凝縮器用ファンの発停（ＯＮ・ＯＦＦ）頻度を低くすることを目的としている。
【課題を解決するための手段】
【０００８】
本発明の冷凍装置は、圧縮機と、凝縮器と、凝縮器用ファンと、膨張弁と、蒸発器とを備え、凝縮圧力が低側所定値に下降すると凝縮器用ファンを停止させるとともに、凝縮圧力が高側第一所定値に上昇すると凝縮器用ファンを運転することにより冬期も冷却運転を行なう冷凍装置において、
凝縮圧力が高側第一所定値に上昇して凝縮器用ファンが運転開始してから凝縮圧力が低側所定値に下降して凝縮器用ファンが停止するまでのファン運転時間を計測するファン運転時間計測手段と、
ファン運転時間計測手段により計測したファン運転時間と第一設定値とを比較するファン運転時間と基準値との第一比較手段と、
第一比較手段によりファン運転時間が第一設定値以下であるとき、高側第一所定値を高側第一所定値よりも高い高側第二所定値に変更する第一所定値変更手段とを備えたものである。
【発明の効果】
【０００９】
本発明の冷凍装置は、外気温度が低下して凝縮器用ファンをＯＮ・ＯＦＦする場合に、凝縮器用ファンの運転時間が予め設定した第一設定値以下であるとき、凝縮器用ファンが停止から運転に切替る凝縮圧力の高側第一所定値をそれよりも高い高側第二所定値に変更するようにしたから、簡単な構成で冷凍装置の運転時の省エネを図りながら、凝縮器用ファンの発停頻度を低くすることができ、機器の耐久性を向上させることができるのである。
【図面の簡単な説明】
【００１０】
【図１】本発明の実施の形態１〜４に係る冷凍装置の概略説明図である。
【図２】本発明の実施の形態１〜４に係る冷凍装置の冬期における凝縮器用ファンのＯＮ・ＯＦＦ時の凝縮圧力と蒸発圧力との時間経過に伴う変動を示す説明図である。
【図３】本発明の実施の形態１に係る冷凍装置の冬期における凝縮器用ファンの運転時間により凝縮器用ファンをＯＦＦする凝縮圧力の設定値の変更を示すフロー図である。
【図４】本発明の実施の形態２に係る冷凍装置の冬期における凝縮器用ファンの停止時間により凝縮器用ファンをＯＦＦする凝縮圧力の設定値の変更を示すフロー図である。
【図５】本発明の実施の形態３に係る冷凍装置の冬期における凝縮器用ファンのＯＮ・ＯＦＦの１サイクルの時間により凝縮器用ファンをＯＦＦする凝縮圧力の設定値の変更を示すフロー図である。
【図６】本発明の実施の形態４に係る冷凍装置の冬期における外気温度により凝縮器用ファンをＯＦＦする凝縮圧力の設定値の変更を示すフロー図である。
【発明を実施するための形態】
【００１１】
実施の形態１．
本発明の実施の形態１を図１〜図３に基づいて説明する。
図１は、本発明に係る冷凍装置の概略説明図であり、図１において、１は冬期においても冷却運転を行なう冷凍装置である。
【００１２】
冷凍装置１は、回転数が一定の圧縮機１１、油分離器１２、凝縮器２、受液器１３、膨張弁１４、蒸発器１５、サクションアキュムレータ１６、前記圧縮機１１を順次冷媒配管１７で接続して冷媒循環回路を形成している。
この冷凍装置１は、食品を冷却するために店舗に設けられた冷蔵ショーケースであり、外気温度の低い冬期においても冷却運転を行なうようにしている。
【００１３】
凝縮器２は、外気により冷却される空冷式であり、凝縮器用ファン３及び回転数が一定のファンモータ３１を備えている。
また、冷凍装置１は、この実施の形態１では、凝縮温度センサ２１を凝縮器２に設けて、凝縮温度（凝縮圧力に対応）を検出し制御装置４を介してファンモータ３１をＯＮ・ＯＦＦするようにしている。
【００１４】
なお、図１において、１８ａは高低圧を検出して異常高圧時又は異常低圧時に冷凍装置１を停止させる高低圧圧力開閉器、１８ｂは油分離器１２で分離した潤滑油を圧縮機１１の吸入側に戻す油戻し管、１８ｃ、１８ｄは操作弁、１８ｅはストレーナ、１８ｆは逆止弁である。
次に、図２に示す冬期の外気温度が一定である場合における凝縮器用ファンのＯＮ・ＯＦＦ時の凝縮圧力と蒸発圧力との時間経過に伴う変動について説明する。
【００１５】
図２において、上方の細線で示す曲線Ｌ１及び下方の細線で示す曲線Ｌ３は、凝縮圧力が高側第一所定値Ｐ１まで上昇してＯＦＦしていた凝縮器用ファン３をＯＮするように制御する場合の凝縮圧力及び蒸発圧力の変動を示している。
また、上方の太線で示す曲線Ｌ２及び下方の太線で示す曲線Ｌ４は、凝縮圧力が高側第二所定値Ｐ２まで上昇してＯＦＦしていた凝縮器用ファン３をＯＮするように制御する場合の凝縮圧力及び蒸発圧力の変動を示している。
【００１６】
凝縮圧力が高側第一所定値Ｐ１まで上昇して凝縮器用ファン３をＯＮする曲線Ｌ１の場合、凝縮器用ファン３は、時刻Ｔｓで凝縮圧力が低側所定値Ｐ０に下降してＯＦＦし、時刻ＬＴａで凝縮圧力が高側第一所定値Ｐ１まで上昇してＯＮし、時刻ＬＴｂで凝縮圧力が低側所定値Ｐ０に下降してＯＦＦし、このサイクルを繰り返すのである。
また、凝縮圧力が高側第二所定値Ｐ２で凝縮器用ファン３をＯＮする曲線Ｌ２の場合、凝縮器用ファン３は、時刻Ｔｓで凝縮圧力が低側所定値Ｐ０に下降してＯＦＦし、時刻ＨＴａで凝縮圧力が高側第二所定値Ｐ２まで上昇してＯＮし、時刻ＨＴｂで凝縮圧力が低側所定値Ｐ０に下降してＯＦＦし、このサイクルを繰り返すのである。
【００１７】
図２の上記説明から明らかなように、凝縮器用ファン３は、回転数が一定であるため冬期に外気温度が低下すると、凝縮器２を冷却する凝縮能力が増大して冷却過剰となり、凝縮圧力が低下し過ぎて圧縮機１１の必要な高低圧差が得られなくなる。
そこで、冷凍装置１は、この実施の形態１では、凝縮温度センサ２１を凝縮器２に設けて、凝縮温度（凝縮圧力に対応）を検出して凝縮圧力が予め定めた下限となる低側所定値Ｐ０で凝縮器用ファン３をＯＦＦするようにしている。
【００１８】
そして、凝縮器用ファン３をＯＦＦした状態で冷却運転を継続すると凝縮圧力が上昇してきて凝縮温度センサ２１で検出した凝縮圧力が予め定めた所定値となると凝縮器ファン３をＯＮするようにしている。
ここで、凝縮器用ファン３をＯＮする凝縮圧力は晩秋や春先の冬期の前後においては、凝縮器用ファン３がＯＮする凝縮圧力をＯＮ・ＯＦＦ頻度が許される範囲で低く設定して凝縮圧力の低い省エネの冷却運転となるようにしている。
【００１９】
しかしながら、冬期の外気温度が低い場合、凝縮器用ファン３のＯＮ・ＯＦＦの頻度が高くなり、ファンモータ３１をＯＮ・ＯＦＦするリレーの接点、ファンモータ３１自体の耐久性が悪くなるので、次のように、ＯＮ・ＯＦＦ頻度を低くしたのである。
以下、図３に示す実施の形態１に係る凝縮器用ファン３をＯＦＦする凝縮圧力の設定値の変更を示すフロー図により説明する。
【００２０】
図３のフロー図における制御は、図１に示す凝縮温度センサ２１及び制御装置４により、外気温度センサを用いることなく、外気温度の高低を判定できるようにして、凝縮器用ファン３をＯＦＦする凝縮圧力の設定値の変更を行なうようにしている。
制御装置４は、図示していないが、マイクロコンピュータ、記憶装置、入力手段、出力手段、ソフトウエアなどを内蔵しており、これらにより、各時間計測手段、各比較手段、各所定値変更手段を構成している。
【００２１】
図３において、ステップＳ１で、冷凍装置１の運転時間が設定時間（例えば６０分）を経過したかを判断し、設定時間を経過した時点（Ｙ）でステップＳ２に進む。
ステップＳ２で、凝縮器用ファン３のＯＮからＯＦＦまでの時間（例えば図２において時刻ＬＴｂ−時刻ＬＴａ）が第一設定値（例えば５分）以下であるかを判断する。
【００２２】
ステップＳ２では、制御装置４のファン運転時間計測手段及び第一比較手段により判断をして、時間が第一設定値以下（Ｙ）であれば、ステップＳ３に進む。
ステップＳ３で、凝縮用ファン３のＯＮとなる凝縮圧力を高側第一所定値Ｐ１（例えば１．５ＭＰａＧ）よりも高い高側第二所定値Ｐ２（例えば１．７ＭＰａＧ）に設定する。
【００２３】
ステップＳ３では、制御装置４の第一所定値変更手段により、凝縮用ファン３のＯＮとなる凝縮圧力を高側第一所定値Ｐ１からこの高側第一所定値Ｐ１よりも高い高側第二所定値Ｐ２に設定するのである。
ステップＳ３からステップ４に進み、制御装置４の運転時間計測手段により、冷凍装置１の運転時間が設定時間（例えば６０分）を経過したかを判断し、設定時間を経過した時点（Ｙ）でステップＳ５に進む。
【００２４】
ステップＳ５で、凝縮器用ファン３のＯＮからＯＦＦまでの時間（例えば図２において時刻ＨＴｂ−時刻ＨＴａ）が第二設定値（例えば３０分）以上であるかを判断する。
【００２５】
ステップＳ５では、制御装置４のファン運転時間計測手段及び第一比較手段により判断をして、時間が第二設定値以上（Ｙ）であれば、ステップＳ６に進む。
ステップＳ６では、制御装置４の第一所定値変更手段により凝縮用ファン３のＯＮとなる凝縮圧力を高側第二所定値Ｐ２から高側第一所定値Ｐ１（例えば１．５ＭＰａＧ）に設定するのである。
【００２６】
そして、ステップＳ６からステップＳ１に戻るのである。
また、ステップＳ５において、凝縮器用ファン３のＯＮからＯＦＦまでの時間（例えば図２において時刻ＬＴｂ−時刻ＬＴａ）が第二設定値（例えば３０分）未満（Ｎ）であれば、ステップＳ４に戻り、ステップＳ５の判断を繰り返すのである。
【００２７】
次に、ステップＳ２において、凝縮器用ファン３のＯＮからＯＦＦまでの時間（例えば図２において時刻ＬＴｂ−時刻ＬＴａ）が第一設定値（例えば５分）を超過（Ｎ）していれば、ステップＳ１に戻るのである。
【００２８】
このように、ステップＳ２では、凝縮器用ファン３のＯＮからＯＦＦまでの時間が第一設定値以下（Ｙ）であるときに、凝縮器用ファン３のＯＮ・ＯＦＦの頻度が高いために、ステップＳ３で高側第一所定値から高側第二所定値に設定を変更するのである。
また、ステップ２で、凝縮器用ファン３のＯＮからＯＦＦまでの時間が第一設定値を超過（Ｎ）していれば、ステップＳ１に戻って、その状態を維持して冷凍装置１の省エネ運転を継続するのである。
【００２９】
ステップＳ５では、凝縮器用ファン３のＯＮからＯＦＦまでの時間が第一設定値よりも長い第二設定値以上（Ｙ）であれば、凝縮器用ファン３のＯＮ・ＯＦＦの頻度が低いために、ステップＳ６で高側第二所定値から高側第一所定値に設定を変更するのである。
このステップＳ６により、冷凍装置１を省エネ運転に切替えることができるのである。
【００３０】
実施の形態２．
本発明の実施の形態２を図４に基づいて説明する。
実施の形態１では凝縮器用ファン３がＯＮする凝縮圧力の設定を凝縮器用ファン３の運転時間の長短で行っていたが、実施の形態２は、これに替えて凝縮器用ファン３の停止時間の長短で行うようにした点が異なる。
【００３１】
すなわち、実施の形態１では、図３のステップＳ２及びステップＳ５で、凝縮器用ファン３のＯＮからＯＦＦまでの運転時間を第一設定値（ステップＳ２）又は第二設定値（ステップＳ５）と比較していた。
これに対して、実施の形態２では、図４のステップＳ２１で凝縮器用ファン３のＯＦＦからＯＮまでの停止時間（図２でＬＴａ−ＴＳ）を第三設定値と比較し、ステップＳ５１で凝縮器用ファン３のＯＦＦからＯＮまでの停止時間（図２でＨＴａ−ＴＳ）を第四設定値と比較するようにした点が相違する。
【００３２】
実施の形態２は、制御装置４のファン停止時間計測手段、ファン停止時間と基準値との第二比較手段、第二所定値変更手段を用いるのである。
また、実施の形態２の他の構成は実施の形態１と同様であり、その作用も実施の形態１と同様であるので説明を省略する。
【００３３】
実施の形態３．
本発明の実施の形態３を図５に基づいて説明する。
実施の形態１では凝縮器用ファン３がＯＮする凝縮圧力の設定を凝縮器用ファン３の運転時間の長短で行っていたが、実施の形態３は、これに替えて凝縮器用ファン３のＯＮからＯＦＦを経由して次のＯＮまでの１サイクルの時間の長短で行うようにした点が異なる。
【００３４】
すなわち、実施の形態１では、図３のステップＳ２及びステップＳ５で、凝縮器用ファン３のＯＮからＯＦＦまでの運転時間を第一設定値（ステップＳ２）又は第二設定値（ステップＳ５）と比較していた。
これに対して、実施の形態３では、図５のステップＳ２２で凝縮器用ファン３のＯＮからＯＦＦを経由して次のＯＮまでの１サイクルの時間（図２でＬＴｂ−ＴＳ）を第五設定値と比較し、ステップＳ５２で凝縮器用ファン３のＯＮからＯＦＦを経由して次のＯＮまでの１サイクルの時間（図２でＨＴｂ−ＴＳ）を第六設定値と比較するようにした点が相違する。
【００３５】
実施の形態３は、制御装置４の１サイクル時間計測手段、１サイクルの時間と基準値との第三比較手段、第三所定値変更手段を用いるのである。
また、実施の形態３の他の構成は実施の形態１と同様であり、その作用も実施の形態１と同様であるので説明を省略する。
【００３６】
実施の形態４．
次に、実施の形態４に係る凝縮器用ファン３をＯＦＦする凝縮圧力の設定値の変更を示す図６のフロー図により説明する。
【００３７】
図６のフロー図における制御は、図１に示す外気温度センサ５及び制御装置４により、外気温度の高低を直接判定できるようにして、凝縮器用ファン３をＯＦＦする凝縮圧力の設定値の変更を行なうようにしている。
制御装置４は、図示していないが、マイクロコンピュータ、記憶装置、入力手段、出力手段、ソフトウエアなどを内蔵しており、これらにより、時間計測手段、温度比較手段、温度変更維持手段を構成している。
【００３８】
図６において、ステップＳ１１で、冷凍装置１の運転時間が設定時間（例えば６０分）を経過したかを判断し、設定時間を経過した時点（Ｙ）でステップＳ１２に進む。
ステップＳ１２で、外気温度センサ５により検出した外気が設定温度（例えば５℃）以下であるかを判断する。
【００３９】
ステップＳ１２では、外気温度センサ５及び制御装置４の温度比較手段により判断をして、外気が設定温度以下（Ｙ）であれば、ステップＳ１３に進む。
ステップＳ１３で、凝縮用ファン３のＯＮとなる凝縮圧力を高側第一所定値Ｐ１（例えば１．５ＭＰａＧ）よりも高い高側第二所定値Ｐ２（例えば１．７ＭＰａＧ）に設定する。
【００４０】
ステップＳ１３では、制御装置４の温度変更維持手段により、凝縮用ファン３のＯＮとなる凝縮圧力を高側第一所定値Ｐ１からこの高側第一所定値Ｐ１よりも高い高側第二所定値Ｐ２に設定するのである。
そして、ステップＳ１３からステップＳ１１に戻るのである。
【００４１】
また、ステップＳ１２において、外気が設定温度を超過（Ｎ）していれば、ステップＳ１４に進むのである。
ステップＳ１４では、凝縮用ファン３のＯＮとなる凝縮圧力を高側第一所定値Ｐ１に設定するのであり、ステップＳ１２における凝縮用ファン３のＯＮとなる凝縮圧力が高側第一所定値Ｐ１であればその所定値Ｐ１を維持するのである。
【００４２】
ステップＳ１２における凝縮用ファン３のＯＮとなる凝縮圧力が高側第二所定値Ｐ２であれば、ステップＳ１４で所定値Ｐ２を高側第一所定値Ｐ１に変更するのである。
この実施の形態４では、以上のように外気温度を外気温度センサ５で直接検出して、凝縮器用ファン３のＯＮ・ＯＦＦの頻度が許容できる範囲の外気温度であれば、高側第一所定値Ｐ１に設定して、省エネを図るのである。
【００４３】
また、凝縮器用ファン３のＯＮ・ＯＦＦの頻度が高くなりすぎる外気温度であれば高側第二所定値Ｐ２に設定して、ＯＮ・ＯＦＦの頻度を低くするようにするのである。
【００４４】
実施の形態の変形例
以上の実施の形態１〜４では、凝縮温度センサ２１を設けて凝縮圧力を検出するようにしたが、凝縮器２の入口側の圧力を圧力センサで直接検出するようにしてもよい。
以上の実施の形態１〜３では、実施の形態１のファン運転時間、実施の形態２のファン停止時間、実施の形態３のファンＯＮから次のファンＯＮまでの時間について、いずれも１回又は１サイクルの時間を計測するようにしたが、複数回又は複数サイクルの時間を計測して平均するようにしてもよい。
【００４５】
以上の実施の形態１〜３では、凝縮器用ファン３のＯＮする凝縮圧力が第二所定値である場合、それぞれの時間を、実施の形態１では第二設定値と、実施の形態２では第四設定値と、実施の形態３では第六設定値と比較して、第一所定値に設定するか、第二所定値のままとするかを判断していたが、この判断を省略して、一定の時間をおいて間欠的に実施の形態１では第一設定値と、実施の形態２では第三設定値と、実施の形態３では第五設定値と比較するようにしてもよい。
以上の実施の形態４では、外気温度サーミスタ５により検出した外気温度と設定温度との温度比較手段による比較を設定時間毎に間欠的に行なうようにしたが、これに替えて、設定温度にディファレンシャルを設けて第一設定温度以下で第二所定値に、第一設定温度よりも高い（例えば１℃）第二設定温度以上で第一所定値に戻るようにしてもよい。
【符号の説明】
【００４６】
１  冷凍装置
１１  圧縮機
１４  膨張弁
１５  蒸発器
２  凝縮器
２１  凝縮温度センサ
３  凝縮器用ファン
４  制御装置
５  外気温度センサ
Ｐ０  低側所定値
Ｐ１  高側第一所定値
Ｐ２  高側第二所定値
【図１】
2014234960.tif 000003
【図２】
2014234960.tif 000004
【図３】
2014234960.tif 000005
【図４】
2014234960.tif 000006
【図５】
2014234960.tif 000007
【図６】
2014234960.tif 000008